(57)【特許請求の範囲】
【請求項１】
発振回路と受信回路を有するレーダ本体と、前記発振回路と受信回路とにそれぞれアンテナ素子切替器を介して接続されミリ波帯域の電波を送受信する送信アンテナ素子列と受信アンテナ素子列とからなるアレイアンテナと、このアレイアンテナを第一焦点線位置に配列するとともに当該第一焦点周りに回転駆動可能として第二焦点線を旋回走査可能とした楕円筒面反射鏡と、前記楕円筒面反射鏡の回転信号に同期させて送信アンテナ素子と受信アンテナ素子の全ての組合わせを選択するように前記アンテナ素子切替器を制御するコントローラと、前記楕円筒面反射鏡の回転角信号毎に検出された受信信号に基づき前記第二焦点線前方における標的からの反射波の結像処理を前記回転角信号毎に行なって前記標的の３次元画像を合成する像再生処理からなる演算部と、を有してなることを特徴とするマルチパスミリ波映像化レーダシステム。
【請求項２】
前記演算部は、前記第一焦点線位置に配列された前記アンテナアレイで検出されたデータを、前記第二焦点線位置に仮想的に配列した仮想アンテナアレイで検出されるデータに変換し、前記仮想アンテナアレイで検出されるデータを全ての回転角に対して集め、これを基に前記第二焦点線前方における前記標的の３次元画像を構築することを特徴とする請求項１に記載のマルチパスミリ波映像化レーダシステム。
【請求項３】
楕円筒面反射鏡を第一焦点周りに回転させつつ回転信号に同期させて送信アンテナ素子と受信アンテナ素子の全ての組合わせを選択するアンテナ素子の切替処理を行なって前記楕円筒面反射鏡の前記第一焦点に沿って配列したアレイアンテナからミリ波帯域の電波を放射し、前記楕円筒面反射鏡の第二焦点より前方にある標的に照射し、回転角信号毎に、前記第一焦点線上のアンテナ素子から出て前記第二焦点を通り前記標的の内部で反射し再び前記第二焦点線上を通り前記第一焦点上のアンテナ素子へ戻る、全ての送受信対に対応したレーダ信号を受信し、最後にこうして得られた信号全てから前記標的の３次元の透過映像を得ることを特徴とする透過映像再生方法。
【発明の詳細な説明】
【０００１】
【発明の属する技術分野】
本発明は映像化レーダシステムに係り、特にミリ波帯域の電波を検査対象に照射することによって近距離の対象物の精細な透過映像を再生することができるようにしたマルチパスミリ波映像化レーダシステムおよび透過映像再生方法に関する。
【０００２】
【従来の技術】
ミリ波（３０ＧＨｚ以上の電波）は、光と異なり、物体を透過する能力が優れており、霧、布、紙などで遮蔽された物体の映像を得るために利用される。しかし、ミリ波の映像を得るためには技術的に多くの困難がある。特に、高周波の回路技術は現状で実現のための大きな障壁である。そのために、比較的に高周波で動作し、実装上の困難も比較的少ないショットキバリアダイオードを受信器として用いる簡単な回路構成で映像装置を実現する場合が多い。ミリ波の位相をも考慮して近距離を精細に映像化しようとする試みは少ない。
【０００３】
【発明が解決しようとする課題】
それぞれ複数個の送信・受信アンテナ素子を一次元的に配列し、各アンテナ素子を切替えることでミリ波映像を得ようとするが、ミリ波帯域の電波の切替処理は困難であるため、アンテナから放射しようとするミリ波の1/2の周波数の信号を高周波回路の内部で発生させ、アンテナ素子切替回路の直前で周波数を２倍に逓倍する。受信するミリ波は次のようにしてどのアンテナ素子で受信したか判るようにする。受信アンテナ素子に分数調波検波機能を持った検波回路を設けておいて切替の容易な低周波信号に変換する。
【０００４】
次に一次元的に配列した送信・受信アンテナ素子と楕円面鏡を組合わせて空間を走査できるようにする。こうすることで映像化（検査）対象にミリ波のエネルギーを有効に照射できる。また有効に反射エネルギーを受信アンテナ素子へ集めることができる。
最後にこうした手順で得たミリ波の信号から、位相をも考慮した精細な対象物の映像を得るためのコンピュータアルゴリズムを提案する。
【０００５】
従来の方法では、送信アンテナ素子から照射された電波はこれと対をなす一つの受信アンテナ素子で受信するシングルパス方式を採用しているため、受信アンテナの前に電波が透過し難い層がある場合にはフォーカスが充分になされず、画像がぼけてしまう問題があった。また、シングルパス方式においては、図１４に示したように、アンテナ５０と映像化対象物６０との間に障害物６２がある場合には、送信アンテナ素子５２から放射した電波５６が障害物６２によって反射され、映像化対象物６０からの反射信号５８を受信アンテナ素子５４によって受信できなくなる。
【０００６】
さらに、シングルパス方式においては、アンテナ５０を形成している送信アンテナ素子５２と受信アンテナ素子５４とが近接して配置してあるため、図１５に示したように、映像化対象物６０がアンテナ走査面６４から深い位置にある場合、送信アンテナ素子５２から受信アンテナ素子５４に直接回り込む信号６６や、基本的に不要な信号（第一波結合）が、遠いところにある物体からの反射信号５８に対して圧倒的に大きい。このため、微弱な反射信号５８を受信するために増幅率を大きくしようとしても、受信器が直接回り込む信号６６などによって飽和を起こすために増幅率に制限あって、遠く離れた物体の映像が得られない欠点がある。加えて、図１６に示したように、映像化対象物６０が傾斜している場合には、シングルパス方式ではこれを受信できず、かりにアンテナ５０を走査して映像化対象物６０からの反射信号５８を受信することができたとしても、電波５６を送信してから反射信号５８を受信するまでの時間に対応した円弧６８上の何れの点に存在するかを特定することができず、得られた画像の画質が良質でない問題がある。
【０００７】
本発明は、上記従来の問題点に着目し、対象物の高精細な透過映像を得ることができるミリ波映像化レーダシステムを提供することを目的とする。更に、本発明は、梱包された荷物の中身や衣類の下の凶器などを映像化する近距離用に適用することができるもので、透過能力と分解能の両立が特徴となっているミリ波映像化レーダシステムおよび透過映像再生方法を提供することを目的としている。
【０００８】
【課題を解決するための手段】
上記目的を達成するために、本発明に係る映像化レーダシステムは、発振回路と受信回路を有するレーダ本体と、前記発振回路と受信回路とにそれぞれアンテナ素子切替器を介して接続されミリ波帯域の電波を送受信する送信アンテナ素子列と受信アンテナ素子列とからなるアレイアンテナと、このアレイアンテナを第一焦点線位置に配列するとともに当該第一焦点周りに回転駆動可能として第二焦点線を旋回走査可能とした楕円筒面反射鏡と、前記楕円筒面反射鏡の回転信号に同期させて送信アンテナ素子と受信アンテナ素子の全ての組合わせを選択するように前記アンテナ素子切替器を制御するコントローラと、前記楕円筒面反射鏡の回転角信号毎に検出された受信信号に基づき前記第二焦点線前方における標的からの反射波の結像処理を前記回転角信号毎に行なって前記標的の３次元画像を合成する像再生処理からなる演算部と、を有してなることを特徴とするものである。
この場合において、前記演算部は、前記第一焦点線位置に配列された前記アンテナアレイで検出されたデータを、前記第二焦点線位置に仮想的に配列した仮想アンテナアレイで検出されるデータに変換し、前記仮想アンテナアレイで検出されるデータを全ての回転角に対して集め、これを基に前記第二焦点線前方における前記標的の３次元画像を構築するようにすればよい。
【０００９】
この場合において、前記送信アンテナ素子列の前段に周波数逓倍器を配置するとともに、前記受信アンテナ素子列の後段に分数調波検波器を設け、当該分数調波検波器には位相シフトされた参照信号を入力させるようにすればよい。
【００１０】
また、本発明に係る透過映像再生方法は、楕円筒面反射鏡の第一焦点に沿って配列したアレイアンテナからミリ波帯域の電波を放射し、前記楕円筒面反射鏡の第二焦点より前方にある標的に照射し、当該対象物からの反射波を前記楕円筒面反射鏡を前記第一焦点周りに回転させつつ回転信号に同期させて送信アンテナ素子と受信アンテナ素子の全ての組合わせを選択するアンテナ素子の切替処理を行なって受信させ、前記第二焦点線前方からの反射信号の結像出力を前記楕円筒面反射鏡の回転角信号毎に演算して合成することにより結合画像を得て前記標的の透過映像を得るようにしたものである。
【００１１】
すなわち、本発明は、ミリ波の映像化レーダシステムの構成として、リニアアレイアンテナと楕円筒面鏡を用いた空間のスキャニング方法を用い、アレイアンテナの方式には、一つの送信アンテナ素子から電波を放射させ、この電波の反射波を全ての受信アンテナ素子で受信する、いわゆるマルチパス方式を用い、得られたデータから対象物の映像を再生するコンピュータアルゴリズムを用いる。
【００１２】
本発明では、送信・受信アンテナ素子の両方を切り替えるようにしている点に一つの特徴があり、従来方式が受信アンテナ素子をのみを切り替える方式であったものとしている点で異なっている。さらに、送信アンテナ素子列と受信アンテナ素子列の中から任意の組み合わせが送受信に使用できるマルチパス方式を用いている。送受アンテナ素子列を用い、回転ミラーを用いて２次元へ投影することで、面的な映像を得ることができる。このとき、従来技術に比べて以下の３点で優れている。
【００１３】
（ａ）送受両方の切り替えにより、送信アンテナ素子または受信アンテナ素子を切り替えなかった場合と比べて分解能が２倍になる。したがって、上記従来技術と同じ分解能に設定すると、使用周波数が１／２でよく、透過能力は２倍になる。
（ｂ）ミリ波の場合、回路技術上の困難から周波数が固定のＣＷ動作を用いるが、この場合、距離方向の分解能が著しく低下し、事実上、２次元の映像となる。しかし、本発明のマルチパス方式では、距離方向の分解能が保持される。すなわち、３次元の映像が得られる。
（ｃ）上記（ｂ）の効果のため、手前と遮蔽体の向こう側の見たい物とを分離できるという長所があり、透過映像を鮮明に再生することができる。
【００１４】
本発明の原理は以下のようになものである。
図２に示したように、楕円筒体１００の一部を形成する楕円筒面反射鏡１０の第一焦点位置（楕円筒体１００の第一焦点位置）を通る線上に、詳細を後述するリニアアレイアンテナを配置しておき、前記第一焦点のアンテナ素子列配列線をＹ座標軸、楕円筒体１００の第二焦点のアンテナ素子列配列線をＹ’座標軸とし、楕円短軸に平行で前記第一焦点線上の点Ｐ01を通る直交軸をＸ座標軸、楕円長軸方向をＺ座標軸とした場合、送信アンテナ素子から放射し反射鏡１０で反射した電波は、全て楕円筒体１００の第二焦点に沿ったＹ’座標軸を横切る。すなわち、Ｙ座標軸上の点Ｐ01（第一焦点）から放射した電波は、Ｙ’座標軸上（第二焦点）へ線状に収束するが、Ｙ’座標軸上の例えば点Ｐ02のような一点には集まらない。このＹ’座標軸を仮想的なアレイアンテナとするには実際のアレイアンテナが置かれているＹ座標軸上で得たデータに経路（Ｙ座標軸上の点→楕円面→Ｙ’座標軸上の点）による位相の補正を加えることで目的が達成できる。この位相の補正は、数学的に求めることが可能である。
【００１５】
さらに、図４のように楕円筒面鏡１０が楕円筒体１００の第一焦点線であるＹ座標軸を中心として矢印６９のように回転すると、楕円筒体１００の第二焦点の軌跡として第二焦点面７０が形成され、あたかもそこに２次元的にアンテナ素子が配列されたかのごとくとなる。すなわち図４の第二焦点線より前方の標的７２側の領域２において、第二焦点面７０上を走査する仮想一次元マルチパスアレイアンテナを設定し、実際のアンテナ（第一焦点線に配置したアンテナ）で計測されるデータを、この仮想アンテナでのデータに変換する。こうして２次元的に配列されたアンテナ素子で計測したと同等のことが楕円面鏡１０を用いて実現できる。楕円筒体１００の第二焦点を楕円筒面鏡１０から十分遠くになるように設計し、楕円筒面鏡１０の回転を微小とすると、この焦点面７０を近似的に平面と考えることができる。
【００１６】
ところで、図４に示したように、楕円筒体１００の第一焦点線上の点Ｐ01から放射された電波が、楕円筒面鏡１０の点Ｐa において反射され、第二焦点面７０の点Ｐb を通って標的７２に照射され、その反射波が点Ｐb を通って点Ｐa において反射されて点Ｐ01において受信されたとすると、直線Ｐa Ｐb の、点Ｐ01と点Ｐa との距離ｌ1 だけ延長した点Ｐ01 ’おいて電磁波を放射し、反射波を受信したのと同様に見なせる。そして、楕円の性質から、第一焦点Ｐ01 と楕円上の点Ｐa との距離ｌ1 と、楕円上の点Ｐa と楕円の第２焦点Ｐb （Ｐ02 ）との距離ｌ2 との和ｌは、点Ｐa が楕円上のいかなる位置にあろうと一定である。すなわち、
【数１】
0004653910.tif 000002
の関係にある。
【００１７】
そこで、楕円筒面鏡１０を用いて三次元映像を得ようとする場合、まず、第１段階として、第一焦点で得られたデータを、次のようにして第二焦点の仮想アンテナで受信したデータに変換する。すなわち、図６に模式的に示したように、第一焦点線（Ｙ座標軸）上の点Ｐ1（ｘ，ｙ1，ｚ0 ）において電波を放射し、第二焦点線（Ｙ’座標軸）上の点Ｐ1 ’（ｘ，ｙ1’，ｚ）を通って標的（物体７２）に照射され、標的７２からの反射波が第二焦点線上の点Ｐ2’（ｘ，ｙ2’，ｚ）を通って第一焦点線上の点Ｐ2 において受信されたとする。また、点Ｐ1 と点Ｐ1’との間の電波の伝播時間をΔｔ1 、点Ｐ2 と点Ｐ2’との間の電波の伝播時間をΔｔ2 とする。
【００１８】
Ｙ座標軸上の点Ｐ1 に配置した送信アンテナ素子と、Ｙ座標軸上の点Ｐ2 に配置した受信アンテナ素子とを用いて得られたデータをφx,y1,y2,z0（ｔ）とすると、Ｙ’座標軸の点Ｐ1’と点Ｐ2’とに仮想の送信アンテナ素子と受信アンテナ素子とを配置したとして得られるデータは、
【数２】
0004653910.tif 000003
となる。また、電波の伝播時間Δｔ1 とΔｔ2 とは、それぞれ、
【数３】
0004653910.tif 000004
【数４】
0004653910.tif 000005
となる。ただし、数式３、数式４においてｃは、電波の伝播速度である。
【００１９】
このようにして得たＹ’座標軸における仮想アンテナによる送受信データから、第２段階としてＹ座標軸における３次元画像データに変換する。ただし、簡略のために、ｙ1’→ｙ1 、ｙ2’→ｙ2 のようにダッシュを省略する。
【００２０】
そして、３次元画像を求めるには、図５において（Ｘ,Ｙ）面を第二焦点面７０とし、次の数式５のような方法を用いればよい。ただし、送信アンテナ素子の位置（ｘ，ｙ1，ｚ）、 受信アンテナ素子の位置（ｘ，ｙ2，ｚ）、 媒対中の点Ｑ（ξ，η，ζ）とする。
【数５】
0004653910.tif 000006
を求めればよい
【００２１】
なお、電波の周波数が固定の場合、反射信号は次のように表すことができる。
【数６】
0004653910.tif 000007
ただし、ここにｒi はｉ番目の反射点での複素反射率であり、φ（ｔ）は送信波形であって、固定周波数のときはｅiωt、ωは電波の位相の角速度であってω＝２πｆであり、ｆは周波数である。
【００２２】
【発明の実施の形態】
以下に、本発明に係るマルチパスミリ波映像化レーダシステムの具体的実施の形態を、図面を参照して詳細に説明する。
本実施形態に係るレーダシステムは、図１に示しているように、楕円筒面反射鏡１０と、この楕円筒面反射鏡１０の第一焦点位置を通る線上にリニアアレイアンテナ１２を配置している。楕円筒面反射鏡１０は、図２に示したように、楕円筒体１００の一部から形成してあって、楕円筒体１００の第一焦点線（Ｙ座標軸）を中心に、図示しないアクチュエータによりＺＸ面と平行な面内を回転操作できるようになっている（図１中矢印Ａ）。また、楕円筒面反射鏡１０とリニアアレイアンテナ１２とは、図３に示したように、移動台車７６に搭載してあって、任意の場所に容易に移動できるようにしてある。さらに、この移動台車７６には、詳細を後述するレーダ本体１４が搭載してある。
【００２３】
楕円筒面反射鏡１０は、図２に示されているように、第一焦点線を囲む楕円の１／４より小さく設定されており、装置サイズを小型にするようにしている。したがって、第一焦点線に置かれたアレイアンテナ１２からの放射電波（送信信号）８２は、楕円筒面反射鏡１０により反射されて、図３に示したように、人などの検査対象となる標的７２に近い空間に設定される楕円筒体１００の第二焦点線を通過した後に、標的７２に照射され、同時に楕円筒面反射鏡１０を回転させることにより、第二焦点線が第一焦点を中心とした円弧８０の軌跡を走査し、標的７２に回転角毎に連続して照射されるものとなる。
【００２４】
上記アレイアンテナ１２には、電波８２を放射する複数の送信アンテナ素子１２Ｔと、電波８２の反射波を受信する複数の受信アンテナ素子１２Ｒとから構成してある。これらの送信アンテナ素子１２Ｔと受信アンテナ素子１２Ｒとは、それぞれが直線状に相互に平行して配列してあるとともに、この実施形態の場合、送信アンテナ素子１２Ｔと受信アンテナ素子１２Ｒとが千鳥状をなすように配置してある。そして、送信アンテナ素子１２Ｔと受信アンテナ素子１２Ｒとは、レーダ本体１４に接続されている（図１参照）。
【００２５】
レーダ本体１４は、発振回路と受信回路とが設けられている。発振回路における発振器１５は、透過映像を取得するためには例えば３０ＧＨｚのミリ波を発振させる必要があるが、後述するアンテナの切替処理が非常に困難であるため、実施形態では周波数がｆ／２（１５ＧＨｚ）のマイクロ波を発振させるようにしている。発振したマイクロ波は方向性結合器１６、増幅器１８を経て複数の送信アンテナ素子１２Ｔに供給されるが、アンテナ素子１２Ｔの前段には送信アンテナ素子切替器２０Ｔが設けられている。これはＳＰＮＴ（Ｓｉｎｇｌｅ  ＰｏｒｔＮ  Ｔｒａｎｓｆｅｒ）切替器により構成され、個々の送信アンテナ素子１２Ｔに対して電波８２を放射するアンテナ素子１２Ｔを順次切り替えることができるようにしている。
【００２６】
一方、受信回路は受信アンテナ素子１２Ｒにて受信された反射波の信号を増幅器２２にて増幅した後、Ａ／Ｄ変換器２４を経て信号処理をなす演算部（後述）に入力させるようにしている。この受信回路において、前記増幅器２２で増幅する前のアンテナ１２の後段には送信側と同様にＳＰＮＴ切替器からなる受信アンテナ素子切替器２０Ｒが設けられ、複数の受信アンテナ素子１２Ｒによって得られた受信信号を個々の受信アンテナ素子１２Ｒ毎に取得するようにしている。
【００２７】
ところで、上記アンテナ素子切替器２０Ｔ、２０Ｒにおける切替処理はシステムコントローラ２６により制御されるが、前記楕円筒面反射鏡１０の回転信号に同期させて送信アンテナ素子１２Ｔと受信アンテナ素子１２Ｒの全ての組合わせを選択するようにしている。システムコントローラ２６はスイッチの切替信号を生成し、楕円筒面反射鏡１０の回転角信号１パルスをトリガーとして送信アンテナ素子１２Ｔを切り替え、ここの送信アンテナ素子１２Ｔの選択信号１パルスにつき全ての受信アンテナ素子１２Ｒが順次選択されるように電子スキャンさせる。
【００２８】
すなわち、一つの送信アンテナ素子１２Ｔから電波が放射されたときに、リニアに配列された受信アンテナ素子１２Ｒが順次受信するように切り替えられ、次の送信アンテナ素子１２Ｔから電波放射するように切り替えられたときも、同様に全ての受信アンテナ素子１２Ｒが受信できるように切り替えられる。これが全ての送信アンテナ素子１２Ｔから放射されるまで繰り返される。いわゆるマルチパス方式である。このような送受信が楕円筒面反射鏡１０の回転角信号１パルス毎に繰り返され、標的を走査するのである。
【００２９】
ところで、実施形態では、アンテナ素子切替器２０Ｔ、２０Ｒとアレイアンテナ１２の間に送信側では周波数逓倍器２８が介装され、受信側には１／２分数調波検波器（サブハーモニックミキサ）３０が介装されている。これにより、信号の切替が困難なミリ波の領域での切替、増幅処理を１／２周波数で行ない、アンテナ１２ではミリ波の周波数領域の信号を送信、受信するようにしている。検波器出口の信号（ＩＦ信号）はもはや高周波でなくなるため、通常の半導体切替器で受信信号の切替ができるものとなる。
【００３０】
周波数逓倍器２８としては、図７に示したように、周波数ｆの信号入力経路にバラクタダイオード３２と、１／４波長スタブ３４を介装しており、バラクタダイオード３２の非線形性を用いて入力周波数ｆの２倍の周波数を作るようにしている。そしてバンドパスフィルタ３６を介して出力経路に流すようにしている。
【００３１】
また、受信回路において、通常の検波と異なるのは、１／２分数調波検波器を用いていることで、参照信号（ＬＯ信号）に発振器１５の生成したＲＦ信号の、周波数ｆの半分の周波数であるｆ／２の信号を使う。このとき、ＩＦ信号に複素データを得るためには、ＬＯ信号の位相を４５度移相する必要がある。このために参照信号ラインに４５度位相シフタ３２を挿入している。位相シフタ３２は、図８に示しているように、ＲＦ入力経路とＲＦ出力経路とを９０度ハイブリッド回路４０で接続するとともに、このハイブリッド回路４０にバラクタダイオード４２を接続し、バラクタダイオード４２の電圧可変容量性を用いて位相を電気的に変えるようにしている。１／４波長のマイクロストリップ４４はバラクタダイオード４２のバイアス側端子を仮想接地するためのものである。
【００３２】
前記１／２分数調波検波器（サブハーモニックミキサ）３０としては、例えば図９に示した構成とすればよく、２個のショットキバリアダイオード４６を互いに逆向きに並列接続した構成とし、その一端に位相シフタ３２からの参照信号（周波数ｆ／２）ラインを、他端にコンデンサ４８を介して受信アンテナ素子１２ＲからのＲＦ信号（周波数ｆ）ラインを接続する。逆向き並列接続された一対のショットキバリアダイオード４６の非線形特性は奇関数であるので参照信号ｆ／２の２倍の周波数とＲＦ信号ｆがミキシングされる。１／４波長スタブ５０は２つの入力信号がミキサの反対側に漏れないようにするためのものである。ミキシング結果であるＩＦ信号はローパスフィルタ（インダクタ）５２を通して取り出され、受信アンテナ素子切替器２０Ｒに出力される。
【００３３】
装置システムの動作タイミングを図１０に示す。楕円筒面反射鏡１０の回転信号に同期して送信アンテナ素子１２Ｔと受信アンテナ素子１２Ｒとのすべての組合わせが順に選ばれる。その一つの組合わせの中で移相器が０度と４５度の２状態をとる。
すなわち、実施形態に係るレーダシステムは、ＣＷ方式となっていて、図１０（ａ）に示したように、システムコントローラ２６は、図示しないアクチュエータに駆動信号Ａを与えて楕円筒面反射鏡１０を所定角度だけ回転させると、同図（ｂ）に示したように、送信アンテナ切替器２０Ｔに切替制御信号Ｂ1 を送出し、例えば１番目の送信アンテナ素子１２Ｔに対応した周波数逓倍器２８を増幅器１８に接続し、第１番目の送信アンテナ素子１２Ｔから１５ＧＨｚの電波（送信信号）８２を放射させる。さらに、システムコントラーら２６は、第１番目の送信アンテナ素子１２Ｔが電波８２を放射している間に、同図（ｃ）に示したように、受信アンテナ素子切替器２０Ｒに切替制御信号Ｃ1 、Ｃ2 、Ｃ3 、………を出力し、各受信アンテナ素子１２Ｒに対応したサブハーモニックミキサ３０を順次増幅器２２に切り替えて接続し、各受信アンテナ素子１２Ｒの受信信号をＡ／Ｄ変換器２４に入力させる。また、システムコントラーら２６は、受信アンテナ素子切替器２０Ｒに切替制御信号Ｃ出力するたびに、図１０（ｄ）に示したように、４５度位相シフタ３２に位相切替信号を出力し、４５度位相シフタ３２により位相を０度と４５度とに切り替える。
【００３４】
システムコントローラ２６は、このようにして第１番目の送信アンテナ素子１２Ｔが送信信号（電波８２）を出力している間に、すべての受信アンテナ素子１２Ｒを選択し終わると、図１０（ｂ）に示したように、送信アンテナ素子切替器２０Ｔに次の切替信号Ｂ2 を出力し、第２番目の送信アンテナ素子１２Ｔから電波８２を放射させるとともに、この第２番目の送信アンテナ素子１２Ｔが電波を放射している間に、受信アンテナ素子切替器２０Ｒに切替制御信号Ｃを出力し、前記と同様にしてすべての受信アンテナ素子１２Ｒを切替選択する。そして、システムコントローラ２６は、最後の送信アンテナ素子１２Ｔから電波８２を放射させ、受信アンテナ素子１２Ｒの切替を終了すると、アクチュエータに駆動信号を与えて楕円筒面反射鏡１０をステップ状に所定角度回転させ、上記と同様にしてアンテナ素子１２Ｔ、１２Ｒの切替制御を行う。
【００３５】
このようにしてミリ波を用いたレーダシステムにより標的をスキャンすることにより、楕円筒面反射鏡１０の回転角度信号毎にマルチパス信号が受信されるが、この受信信号と楕円筒面反射鏡１０の回転角信号とが像再生処理演算部５４に入力されるようになっている。この演算部５４は、前記楕円筒面反射鏡１０の回転角信号毎に検出された標的７２からの反射波の受信信号に基づき標的の透過映像出力信号を演算するものである。
【００３６】
この像再生処理演算部５４では、マルチパス信号に基づく像再生処理を行なう。これは楕円筒面反射鏡１０の第一焦点線に置かれたアレイアンテナ１２から放射された電波８２は反射鏡１０を経て第二焦点線上に収束した後、前方の標的７２に照射される。標的７２からの反射波の内、前記第二焦点線を横切る反射信号が反射鏡１０にて反射されて第一焦点線上のアレイアンテナ１２にて受信される。
【００３７】
楕円筒面反射鏡１０の第一焦点位置を通る線上にリニアアレイアンテナ１２を配置しておき、前記第一焦点の配列線をＹ座標軸、第二焦点の配列線をＹ’座標軸とし、楕円短軸に平行で前記第一焦点線上の点P01 を通る直交軸をＸ座標軸、楕円長軸方向をＺ座標軸とした場合、図２に示しているように、送信アンテナ素子１２Ｔから放射し反射鏡１０で反射した電波は全て第二焦点に沿ったＹ’座標軸を横切る。すなわち、Ｙ座標軸上の点Ｐ01（第一焦点）から放射した電波は、Ｙ’座標軸上（第二焦点）へ線状に収束するが、一点には集まらない。このＹ’座標軸を仮想的なアレイアンテナとするには実際のアレイアンテナが置かれているＹ座標軸上で得たデータに経路（Ｙ座標軸上の点→楕円面→Ｙ’座標軸の点）による位相の補正を加えることで目的が達成できる。
【００３８】
さらに、図４のように楕円筒面鏡が回転すると、第二焦点の軌跡として第二焦点面７０が形成され、あたかもそこに２次元的にアンテナ素子が配列されたかのごとくとなる。すなわち図４の第二焦点線より前方の標的７２側の領域２において、第二焦点面７０上を走査した仮想一次元マルチパスアレイアンテナを設定し、実際のアンテナで計測されるデータをこの仮想アンテナでのデータに変換する。こうして２次元的に配列されたアンテナ素子で計測したと同等のことが楕円面鏡を用いて実現できる。第二焦点を楕円筒面鏡から十分遠くになるように設計し、楕円筒面鏡の回転を微小とするとこの焦点面を近似的に平面と考えることができる。
【００３９】
前記したように、図６において、第一焦点線（Ｙ座標軸）上の点Ｐ1（ｘ，ｙ1，ｚ0 ）において電波を放射し、第二焦点線（Ｙ’座標軸）上の点Ｐ1 ’（ｘ，ｙ1’，ｚ）を通って標的（物体７２）に照射され、標的７２からの反射波が第二焦点線上の点Ｐ2’（ｘ，ｙ2’，ｚ）を通って第一焦点線上の点Ｐ2 において受信されたとし、また、点Ｐ1 と点Ｐ1’との間の電波の伝播時間をΔｔ1 、点Ｐ2 と点Ｐ2’との間の電波の伝播時間をΔｔ2 とする。
【００４０】
Ｙ座標軸上の点Ｐ1 に配置した送信アンテナ素子と、Ｙ座標軸上の点Ｐ2 に配置した受信アンテナ素子とを用いて得られたデータをφx,y1,y2,z0（ｔ）とすると、Ｙ’座標軸の点Ｐ1’と点Ｐ2’とに仮想の送信アンテナ素子と受信アンテナ素子とを配置したとして得られるデータは、
【数７】
0004653910.tif 000008
となる。また、電波の伝播時間Δｔ1 とΔｔ2 とは、それぞれ、
【数８】
0004653910.tif 000009
【数９】
0004653910.tif 000010
となる。ただし、数式３、数式４においてｃは、電波の伝播速度である。
【００４１】
このようにして得たＹ’座標軸における仮想アンテナによる送受信データから、第２段階としてＹ座標軸における３次元画像データに変換する。ただし、簡略のために、ｙ1’→ｙ1 、ｙ2’→ｙ2 のようにダッシュを省略する。
そして、３次元画像を求めるには図５において(Ｘ,Ｙ)面を第二焦点面７０として数式１０のような方法を用いればよい。
【数１０】
0004653910.tif 000011
を求めればよい
【００４２】
このようなレーダシステムを装置として構成する場合には、図３に示すように、移動台車７６に搭載し、テーブル８４上に送信切替回路９０（２０Ｔ、２８）と受信切替回路９２（２０Ｒ、３０）を配置するとともに、それらの中央部に一列の送信用と受信用のアレイアンテナ１２を配置するようにする。アレイアンテナ１２の送受信面の上方位置に楕円筒面反射鏡１０を取り付け、その第一焦点に前記アレイアンテナ１２が配列するように設定する。楕円筒面反射鏡１０をアクチュエータで回転駆動することにより、第一焦点に置かれたアレイアンテナ１２の実像が第二焦点の移動に伴って上下にトラバースする。したがって、放射電波８２は当該第二焦点で収束した後に、その前方にある標的７２に向けて照射され、反射信号は二次元の面（第二焦点面７０）上でのデータとして取得することができる。
【００４３】
このような実施形態によれば、映像の質に関して、アレイアンテナ１２による送受信はマルチパス方式となっているので、従来のシングルパス方式に比べて、次のような利点が得られる。
▲１▼  一点に多くのデータが集まり、大幅なＳ／Ｎ比向上が図れる。また、アレイアンテナ１０の前方に電波の透過し難い層があるとシングルパス方式では画像が崩れる場合があるが、本実施形態のようにマルチパス方式ではこのような問題はない。
▲２▼  図１１に示したように、標的７２とアンテナ１２の間に障害物６２が存在していても、送受信アンテナ素子対が複数選択されるため、障害物６２を避け手法じゃ電波８２の反射信号５８を受信できる信号パス経路を確保することができ、検査を確実に行なうことができる。
▲３▼  図１２に示したように、標的（検査面）７２が遠い場合に、反射信号５８は微弱で増幅が必要となるが、シングルパス方式では隣接する送受信アンテナ対を用い、送信アンテナから受信アンテナへの回り込み信号６６があるため、増幅に制限があったが、本実施形態では送信アンテナ素子１２Ｔと受信アンテナ素子１２Ｒとの組み合わせが任意の組合わせとなるので、離れた送受信アンテナ素子対を選択することにより、回り込みによる信号９４などの第一波結合を小さくすることができ、増幅率を上げることができ、その結果、検査距離を向上させることができる。
▲４▼  更に、図１３に示したように、標的７２の検査面が傾斜していると、シングルパス方式では反射波を受信できないケースがあるが、送受信アンテナ素子間で全てのパスのデータが受信されるため、標的位置の特定が容易となる。
【００４４】
このような利点に加えて、周波数を固定（ＣＷ方式）して用いるミリ波の場合には、シングルパス方式と比べて距離分解能が大幅に向上する。
楕円筒面反射鏡により１次元のリニアアレイアンテナを用いて空間全体を走査することができる。
【００４５】
ミリ波の場合のように、回路技術の観点から信号の切替が容易でないのに対し、本実施形態では、実際に放射するミリ波の周波数の１／２の周波数で多くのことをしておき、アンテナの直前から直後だけで周波数ｆを用いることで、技術的に実現できる。
【００４６】
【発明の効果】
以上説明したように、本発明によれば、楕円筒面反射鏡の第一焦点に沿って配列したアレイアンテナからミリ波帯域の電波を放射し、前記楕円筒面反射鏡の第二焦点より前方にある標的に照射し、当該対象物からの反射波を前記楕円筒面反射鏡を前記第一焦点周りに回転させつつ回転信号に同期させて送信アンテナ素子と受信アンテナ素子の全ての組合わせを選択するアンテナ素子の切替処理を行なって受信させ、これらの信号を合成処理することで結合画像を得て前記標的の透過映像を得るようにした。電波障害物の有無に拘わらず確実に検査することができる。更に、梱包された荷物の中身や衣類の下の凶器などを映像化する近距離用に適用することができるもので、透過能力と分解能の両者の特性に優れた透過映像を取得することができるという効果が得られる。
【図面の簡単な説明】
【図１】実施形態に係るマルチパスミリ波映像化レーダシステムの構成図である。
【図２】実施の形態に係る楕円筒面反射鏡の説明図である。
【図３】実施の形態に係るマルチパスミリ波映像化レーダシステムの概略構成を示す側面断面図である。
【図４】実施の形態に係る楕円筒面反射鏡の作用を説明する図である。
【図５】実施の形態に係るマルチパスミリ波映像化レーダシステムにおける映像化の原理を説明する図である。
【図６】実施の形態に係るマルチパスミリ波映像化レーダシステムにおける第一焦点で得られたデータを第二焦点位置のデータに変換する方法を説明する図である。
【図７】同システムに用いる周波数逓倍器の構成図である。
【図８】同システムに用いる４５度位相シフタの構成図である。
【図９】同システムに用いるサブハーモニックミキサの構成図である。
【図１０】同システムの動作を説明するタイムチャートである。
【図１１】同システムによる障害物が存在する場合の反射信号を受信する原理を説明する図である。
【図１２】同システムによる標的が遠いところにある場合の反射信号を受信する原理を説明する図である。
【図１３】同システムによる標的が傾斜している場合の反射信号を受信する原理を説明する図である。
【図１４】従来のシングルパス方式による障害物が存在する場合に反射信号の受信が困難である理由を説明する図である。
【図１５】従来のシングルパス方式による標的が深いところに存在する場合に反射信号の受信が困難であることを説明する図である。
【図１６】従来のシングルパス方式による標的が傾斜している場合に反射信号の受信が困難であることを説明する図である。
【符号の説明】
１０……楕円筒面反射鏡、１２……リニアアレイアンテナ、
１２Ｔ……送信アンテナ素子、１２Ｒ……受信アンテナ素子、
１４……レーダ本体、１５……発振器、１６……方向性結合器、
１８……増幅器、２０Ｔ……送信アンテナ素子切替器、
２０Ｒ……受信アンテナ素子切替器、２２……増幅器、
２４……Ａ／Ｄ変換器、２７……システムコントローラ、
２８……周波数逓倍器、
３０……分数調波検波器（サブハーモニックミキサ）、
３７……４５度位相シフタ、５４……像再生処理演算部、５６……表示装置、
７２……標的。
【図１】
0004653910.tif 000012
【図２】
0004653910.tif 000013
【図３】
0004653910.tif 000014
【図４】
0004653910.tif 000015
【図５】
0004653910.tif 000016
【図６】
0004653910.tif 000017
【図７】
0004653910.tif 000018
【図８】
0004653910.tif 000019
【図９】
0004653910.tif 000020
【図１０】
0004653910.tif 000021
【図１１】
0004653910.tif 000022
【図１２】
0004653910.tif 000023
【図１３】
0004653910.tif 000024
【図１４】
0004653910.tif 000025
【図１５】
0004653910.tif 000026
【図１６】
0004653910.tif 000027